(57)【要約】【課題】収納袋を取り付け又は取り替え時に支持枠への嵌合を解除された嵌合枠を安定させた状態に保つことができるペット用携帯便器を提供する。【解決手段】嵌合枠４に脚部６を立設し、該脚部６を介して嵌合枠４を柄２に揺動自在に支持させ、支持枠３と嵌合枠４との間に、該嵌合枠４を支持枠３に嵌合した状態に保持する軟係止機構７を設ける。【選択図】図１
0003114173.tif 000002
【実用新案登録請求の範囲】
【請求項１】
棒状の柄（２）に一端が連結された支持枠（３）と該支持枠（３）に嵌合する嵌合枠（４）との間に収納袋（Ｂ）を挟み込み、該収納袋（Ｂ）によってペットの排泄物（Ｓ）を地面に落下する前に捕集するペット用携帯便器であって、
前記嵌合枠（４）には脚部（６）が立設され、該脚部（６）を介して嵌合枠（４）は柄（２）に揺動自在に支持されており、支持枠（３）と嵌合枠（４）との間には、該嵌合枠（４）を支持枠（３）に嵌合した状態に保持する軟係止機構（７）が設けられていることを特徴とするペット用携帯便器。
【請求項２】
前記支持枠（３）の外方に柄（２）を枢支する柄支持部（５）が立設され、前記支持枠（３）は柄支持部（５）に連結されて該柄支持部（５）を介して前記柄（２）に沿って折り畳まれた収納姿勢と水平に保持した展開姿勢とに切り替え自在に柄（２）に揺動自在に支持されており、該柄支持部（５）に前記脚部（６）が枢支されていることを特徴とする請求項１に記載のペット用携帯便器。
【請求項３】
前記柄（２）は、他端に把持部（１１）を有すると共に長さ方向に伸縮自在に形成され、前記軟係止機構（７）は、前記支持枠（３）を前記収納姿勢に設定した状態で把持部（１１）に係合可能に形成されていることを特徴とする請求項２に記載のペット用携帯便器。
【請求項４】
前記支持枠（３）は、嵌合枠（４）の下面と対向可能なフランジ部（１４）を有していることを特徴とする請求項１乃至請求項３の何れかに記載のペット用携帯便器。
【請求項５】
前記支持枠（３）が円環状に形成されると共に前記嵌合枠（４）がＣ字状に形成され、該嵌合枠（４）の両端部に脚部（６）がそれぞれ立設されていることを特徴とする請求項１乃至請求項４の何れかに記載のペット用携帯便器。
【考案の詳細な説明】
【技術分野】
【０００１】
本考案は、ペット、特に飼い犬の散歩時に排泄物を採取して持ち帰ることができるペット用携帯便器に関するものである。
【背景技術】
【０００２】
この種のペット用携帯便器としては、特許文献１のように、柄の先端側に保持ネットを設けた支持枠を固着させ、該支持枠の中央開口に収納袋を入れ、該収納袋の開口部の端部全周をリング状のカバーで支持枠との間に挟んで押さえ固定させるものが知られている。
【特許文献１】特開平５−１７６６５１号公報
【考案の開示】
【考案が解決しようとする課題】
【０００３】
上記ペット用携帯便器においては、カバーを支持枠に嵌合する嵌合枠とした場合、支持枠の一端部に柄が連結されると共に該一端部の反対側となる他端部に嵌合枠が揺動自在に支持されることとなり、該嵌合枠は、支持枠への嵌合が解除されることにより柄とは反対側に立ち上がる。このため、収納袋を交換する場合には嵌合枠の姿勢が不安定なものとなり、これによって収納袋の取り付け又は取り替え作業を行い難い問題があった。
そこで、本考案は、収納袋を取り付け又は取り替え時に支持枠への嵌合を解除された嵌合枠を安定させた状態に保つことができるペット用携帯便器を提供すること目的とする。
【課題を解決するための手段】
【０００４】
前記目的を達成するため、本考案は、次の手段を講じた。即ち、
棒状の柄２に一端が連結された支持枠３と該支持枠３に嵌合する嵌合枠４との間に収納袋Ｂを挟み込み、該収納袋Ｂによってペットの排泄物Ｓを地面に落下する前に捕集するペット用携帯便器であって、
前記嵌合枠４には脚部６が立設され、該脚部６を介して嵌合枠４は柄２に揺動自在に支持されており、支持枠３と嵌合枠４との間には、該嵌合枠４を支持枠３に嵌合した状態に保持する軟係止機構７が設けられていることを特徴とする。
【０００５】
これによれば、支持枠３から離脱した姿勢の嵌合枠４を柄２と共に把持することができ、収納袋Ｂを取り替える場合にも嵌合枠４の姿勢を安定した状態に保つことができる。また、軟係止機構７によって嵌合枠４が支持枠３に嵌合した状態に維持されることにより、収納袋Ｂをこれら嵌合枠４と支持枠３との間に挟持した場合にも嵌合枠４が支持枠３から容易に離脱してしまう虞はない。
また、前記支持枠３の外方に柄２を枢支する柄支持部５が立設され、前記支持枠３は柄支持部５に連結されて該柄支持部５を介して前記柄２に沿って折り畳まれた収納姿勢と水平に保持した展開姿勢とに切り替え自在に柄２に揺動自在に支持されており、該柄支持部５に前記脚部６が枢支されていることが好ましい。
【０００６】
これによれば、支持枠３を収納姿勢に設定することにより携行性の向上が図られることとなる。また、支持枠３の外方に配備された柄支持部５に脚部６が支持されることにより、脚部６が支持枠３に当接することはなく、これらに脚部６や支持枠３によって嵌合枠４の揺動が干渉される虞はない。
また、前記柄２は、他端に把持部１１を有すると共に長さ方向に伸縮自在に形成され、前記軟係止機構７は、前記支持枠３を前記収納姿勢に設定した状態で把持部１１に係合可能に形成されていることが好ましい。
【０００７】
これによれば、柄２を収縮することにより携行時のコンパクト化が図られるばかりでなく、把持部１１に軟係止機構７を係合させることによって、収納姿勢の支持枠３と柄２に沿わせた状態に設定された嵌合枠４とが共に揺動不能となるため、さらなる携行性の向上が図られる。
また、前記支持枠３は、嵌合枠４の下面と対向可能なフランジ部１４を有していることが好ましい。
これによれば、収納袋Ｂは支持枠３の壁部と嵌合枠４の壁部に挟持されるばかりでなく、支持枠３のフランジ部１４の上面と嵌合枠４と下面にも挟持されることとなり、これら支持枠３と嵌合枠４による収納袋Ｂの保持力が向上することとなる。
【０００８】
また、前記支持枠３が円環状に形成されると共に前記嵌合枠４がＣ字状に形成され、該嵌合枠４の両端部に脚部６がそれぞれ立設されていることが好ましい。
これによって、排泄物Ｓを確実に収納袋Ｂ内に捕集できる。
【考案の効果】
【０００９】
本考案によれば、収納袋を取り付け又は取り替え時に支持枠への嵌合を解除された嵌合枠を安定させた状態に保つことができる。
【考案を実施するための最良の形態】
【００１０】
以下、本考案の実施の形態を図面に基づき説明する。
本考案のペット用携帯便器１は、図７に示す如く、ペット、特に飼い犬Ｄの散歩において、該飼い犬Ｄが排泄の準備動作になった場合に、飼い犬Ｄの斜め後方から臀部の下方に先端部を差し入れ、該先端部に取り付けたビニール袋等からなる収納袋Ｂの中に排泄物Ｓを路面に落下する前に捕集し、該排泄物Ｓを収納袋Ｂに入れたまま持ち帰るためのものである。
図１及び図２に示す如く、ペット用携帯便器１は、棒状の柄２と、中央開口した支持枠３と、該支持枠３に嵌合して収納袋Ｂを挟持する嵌合枠４を備え、支持枠３は柄支持部５を介して柄２の先端（下端）に連結され、嵌合枠４は一対の脚部６を介して柄支持部５に連結されている。
【００１１】
また、支持枠３と嵌合枠４との間には、該嵌合枠４を支持枠３に嵌合した状態で軟係止するための軟係止機構７が設けられている。
図１又は図５に示す如く、柄２は、合成樹脂製又は金属製からなる複数本（本実施の形態においては３本）の管部材９ａ〜９ｃを備え、第１管部材９ａの外径と第２管部材９ｂの内径とが略一致すると共に、第２管部材９ｂの外径と第３管部材９ｃの内径とが略一致しており、これら第１〜第３管部材９ｃを管軸方向に連結して伸縮自在に構成されている。また、第１管部材９ａと第２管部材９ｂの間及び第２管部材９ｂと第３管部材９ｃの間には、伸長による抜けを防止する抜け止め規制手段（図示省略）が設けられている。
【００１２】
また、第１管部材９ａの先端には、支持枠３との連結部となる連結ブロック１０が取り付けられており、該連結ブロック１０には、柄２の伸長方向と直交する方向に伸びる軸を挿通可能な円孔１０ａが穿設されている。
また、第３管部材９ｃには、第２管部材９ｂの挿通口となる端部とは反対側の端部に把持部１１が取り付けられている。
該把持部１１は、柄２を支えるために人が把持する部分であって、図５に示す如く、第３管部材９ｃの端部が嵌入する底部１１ａと、所定の間隔を有して第３管部材９ｃの外周面を包囲する内周壁１１ｂとを有する有底円筒状に形成されている。
【００１３】
図１に示す如く、支持枠３は、環状に形成された枠部１３と、該枠部１３の外周面の下端側を全周に亘って包囲するフランジ部１４とを有し、図６に示す如く断面Ｌ字状に形成されている。
また、支持枠３は、フランジ部１４の一部が中央開口の径外方向に向けて延設されており、当該フランジ部１４の先端部に一対の柄支持部５が互いに所定の間隔を有して立設されている。両柄支持部５の先端には、柄支持部５が伸びる方向と直交する方向に伸びる軸を挿通可能な円孔５ａが穿設されている。また、支持枠３の他端側には、フランジ部１４の外周面から離間する方向に突出する鍔部１５が形成されている。
【００１４】
図１に示す如く、嵌合枠４は、支持枠３に外嵌可能なＣ字状に形成されており、所定長さを有する帯部材を支持枠３に外嵌可能な形状に湾曲させて形成されているが、支持枠３に外嵌可能な外径を有する環状部材の一部を切り欠いて形成することも可能である。
また、図６に示す如く、嵌合枠４は、支持枠３に外嵌した状態で支持枠３の枠部１３から僅かに突出する高さを有すると共に、支持枠３のフランジ部１４の突出幅よりも小さい厚さを有している。
また、図１に示す如く、支持枠３の両端部には、該支持枠３が湾曲している方向に直交する方向に向けて脚部６がそれぞれ立設されており、両脚部６の先端には、脚部６が伸びる方向と直交する方向に伸びる軸を挿通可能な円孔６ａが穿設されている。
【００１５】
図１及び図６に示す如く、軟係止機構７は、凸円弧状に面取りされた一対の係止片１７ａ、１７ｂによって形成されており、一方の係止片１７ａが支持枠３の鍔部１５の上部に配備されると共に、他方の係止片１７ｂが嵌合枠４の外周面に取り付けられている。また、両係止片１７ａ、１７ｂは、正面視で互いに略同じ角度だけ傾いた状態で配備されており、一方の係止片１７ａの下方に他方の係止片１７ｂが一方の係止片１７ａに当接した状態で入り込み、該他方の係止片１７ｂの移動が一方の係止片１７ａとの摩擦によって拘束されることにより、両係止片１７ａ、１７ｂは互いに軟係止される。
【００１６】
かかる軟係止は、他方の係止片１７ｂを一方の係止片１７ａの下方から離脱させる方向（図６においては時計回りの方向）に両係止片１７ａ、１７ｂを捩ることにより容易に解除される。
また、図２に示す収納袋Ｂは、市販のゴミ袋、買い物袋、または紙袋等を用いることができ、排泄物Ｓを収容廃棄できるように水密性の袋が好ましい。
本実施の形態は以上の構成からなるものであって、図１に示す如く、嵌合枠４の一対の脚部６の間に一対の柄支持部５を位置させ、該一対の柄支持部５の間に連結ブロック１０を位置させ、各円孔５ａ、６ａ、１０ａの軸心を一致させる。そして、これら連結ブロック１０、一対の柄支持部５及び一対の脚部６の円孔に枢軸１９を装嵌する。これにより、嵌合枠４が一対の脚部６を介して支持枠３に揺動自在に支持されると共に支持枠３が一対の柄支持部５を介して柄２に揺動自在に支持され、さらには、嵌合枠４が一対の脚部６及び一対の柄支持部５を介して柄２に揺動自在に支持される。
【００１７】
これによって、支持枠３は、水平に保持された図４に示す展開姿勢から柄２に沿って折り畳まれた図５に示す収納姿勢との間で柄２に対して揺動することができ、嵌合枠４は、図３に示す支持枠３に外嵌した状態と図２に示す支持枠３から離脱した状態に切り換え自在であるばかりでなく、図４に示す如く、柄２に沿った状態に設定することも可能となるのである。また、一対の柄支持部５は、支持枠３の枠部１３の外方に立設されているため、該一対の柄支持部５に支持された一対の脚部６が嵌合枠４の揺動によって支持枠３の枠部１３に当接することはなく、これによって嵌合枠４は脚部６と支持枠３との干渉なくスムーズに揺動するのである。
【００１８】
上記したペット用携帯便器１を使用する場合には、先ず、柄２を伸縮させると共に支持枠３を展開姿勢に設定する。ここで、支持枠３を展開姿勢に設定する場合、図３に示す支持枠３の枠部１３と柄２の軸心とのなす角θは１１０°〜１３０°であることが好ましい。
また、ペット用携帯便器１に収納袋Ｂを取り付ける場合には、上述の如く支持枠３を展開姿勢に設定した後に、図４に示す如く、嵌合枠４を柄２に沿った状態に設定する。このとき、柄２の中途部を把持することにより、柄２と嵌合枠４を同時に一方の手で把持して嵌合枠４の姿勢を安定させる。
【００１９】
そして、支持枠３の中央開口に向けて上方から収納袋Ｂの底部を挿通すると共に、該支持枠３の枠部１３及びフランジ部１４の上部を該収納袋Ｂによって覆い、収納袋Ｂを上方開放状とした状態で支持枠３に取り付ける。このとき、一方の係止片１７ａを収納袋Ｂで覆わないようにすることが望ましい。
その後、図３に示す如く嵌合枠４を支持枠３に外嵌した状態に設定すると共に、軟係止機構７の他方の係止片１７ｂを一方の係止片１７ａに軟係止させ、該軟係止によって嵌合枠４を支持枠３に外嵌した状態に維持させる。
【００２０】
これによって、収納袋Ｂは支持枠３と嵌合枠４に挟持されるのである。このとき、収納袋Ｂは、図６に示す如く、支持枠３の枠部１３の外周面と嵌合枠４の内周面に挟持されるばかりでなく、支持枠３のフランジ部１４の上面と嵌合枠４の下面とによっても挟持されることとなるため、収納袋Ｂに比較的重量の大きい排泄物Ｓを捕集した場合にも、該排泄物Ｓの重みによって収納袋Ｂが支持枠３と嵌合枠４に挟持された状態から外れてしまう虞はない。
また、収納袋Ｂを取り外す場合には、上述の如き手順を逆に行えばよい。即ち、軟係止機構７の軟係止状態を解除し、嵌合枠４を支持枠３から離脱させて柄２に沿った状態とする。これによって、収納袋Ｂが支持枠３と嵌合枠４とによって挟持された状態が解除され、該収納袋Ｂの開口側の端部を引き上げることにより、収納袋Ｂが支持枠３から取り外されることとなる。
【００２１】
また、上記ペット用携帯便器１を収納する場合は、嵌合枠４を支持枠３に外嵌したまま支持枠３を柄２の方向に回動（屈曲）させて支持枠３を収納姿勢に設定する。支持枠３は柄２に揺動自在に支持されているので、容易に折り畳むことができる。次いで、柄２を最も管軸長さが短くなるまで収縮させる。
このとき、図５に示す如く、支持枠３を収納姿勢に設定したことによって上方突出状とされている軟係止機構７の一対の係止片１７ａ、１７ｂを柄２の把持部１１の内部に収納する。これによって、該一対の係止片１７ａ、１７ｂが把持部１１の内周壁１１ｂに係合することとなり、柄２を伸長させて一対の係止片１７ａ、１７ｂを把持部１１から離脱させない限り、支持枠３が収納姿勢から展開姿勢に向けて揺動することはない。
【００２２】
本実施の形態のペット用携帯便器１によれば、収納袋Ｂの取り付け時又は取り替え時に支持枠３から離脱させた嵌合枠４を柄２と同時に一方の手で把持することができ、嵌合枠４を安定させた状態で作業を行うことができる。しかも、一方の手で柄２と嵌合枠４とを把持することにより、他方の手は自由に動かすことができ、その後の収納袋Ｂの取り付け又は取り替え作業を容易に行うことができるのである。
本考案の上記実施形態における各部材の形状及びそれぞれの前後・左右・上下の位置関係は、図１〜図７に示すように構成することが最良である。しかし、これらは上記実施形態に限定されるものではなく、部材や各部材の組合せを変更した構成も採用することが可能である。
【００２３】
例えば、嵌合枠４の径内側に弾性輪体を設けても良く、これによってより確実に収納袋Ｂを支持枠３との間に挟み込んで保持することができる。
また、嵌合枠４を環状にする構成も採用可能であるし、脚部６や柄支持部５を１つのみ備えた構成とした場合にも、本実施の形態と同様の効果を示す。また、脚部６を柄支持部５に揺動自在に支持し、連結ブロック１０に柄支持部５を揺動自在に支持する等、脚部６、柄支持部５及び連結ブロック１０の支持機構は、周知のヒンジ機構等の構成を採用することができる。
【００２４】
また、軟係止機構７は、嵌合枠４に突設されたピンと、支持枠３の鍔部１５に開設されて前記ピンと係合する係合孔とによって構成することも可能である。
また、支持枠３に取り付けた収納袋Ｂを保持するための保持ネットを該支持枠３に配備する構成も採用可能である。また、柄２に伸縮状態を一時的に固定するロック機能等を設けて、使用者の身長やペットの種類に合わせて使用できるようにしても良い。さらには、支持枠３または嵌合枠４の上方に、捕集した排泄物Ｓの飛び出しを防止する蓋を開閉自在に設けても良い。
【図面の簡単な説明】
【００２５】
【図１】本考案のペット用携帯便器を分解して示す斜視図である。
【図２】ペット用携帯便器の斜視図である。
【図３】嵌合枠を支持枠に嵌合した状態を示す斜視図である。
【図４】支持枠、嵌合枠及びその近傍を示す側面図である。
【図５】支持枠を収納姿勢に設定した状態を示す側面図である。
【図６】軟係止機構の正面図及び支持枠と嵌合枠の断面図である。
【図７】使用状態を示す斜視図である。
【符号の説明】
【００２６】
１    ペット用携帯便器
２    柄
３    支持枠
４    嵌合枠
５    柄支持部
６    脚部
７    軟係止機構
【図１】
0003114173.tif 000003
【図２】
0003114173.tif 000004
【図３】
0003114173.tif 000005
【図４】
0003114173.tif 000006
【図５】
0003114173.tif 000007
【図６】
0003114173.tif 000008
【図７】
0003114173.tif 000009